(57)【要約】【課題】撮像装置をユーザに対して好適に自動設定する。【解決手段】ＣＰＵ１３がユーザの個人認証を行い、個人認証されたユーザについて撮影に関する設定パラメータを含むユーザデータが記憶部１４のユーザデータベース２００に記憶されている。ＣＰＵ１３は、記憶部１４のユーザデータベース２００にユーザデータが記憶されていないとき、ユーザデータの設定パラメータを生成するためにサンプルデータ、ＥＸＩＦ情報、バーコードなどを取得し、それらの情報からユーザデータの設定パラメータを生成する。ＣＰＵ１３は、このユーザデータの設定パラメータに基づいて、撮像装置１の撮影に関する設定を自動的に行い、自動設定後に撮影動作を行う。【選択図】図１
2013247512.tif 000002
【特許請求の範囲】
【請求項１】
個人情報に基づいてユーザの個人認証を行う個人認証手段と、
前記個人認証手段により個人認証されたユーザについて、撮影に関する第１の設定情報を記憶する第１設定情報記憶手段と、
前記第１設定情報記憶手段に前記第１の設定情報が記憶されていないとき、前記第１の設定情報の生成に用いられる第２の設定情報を取得する第２設定情報取得手段と、
前記第１設定情報記憶手段に前記第１の設定情報が記憶されていないとき、前記第２設定情報取得手段により取得された前記第２の設定情報に基づいて、前記第１の設定情報を生成する第１設定情報生成手段と、
前記第１の設定情報に基づいて撮像装置に対して撮影に関する設定を自動的に行う自動設定手段と、
前記自動設定手段による設定後に撮影動作を行う撮影手段と、
を備えることを特徴とする撮像装置。
【請求項２】
請求項１に記載の撮像装置において、
前記第１設定情報記憶手段に前記第１の設定情報が記憶されていないユーザの前記個人情報を取得する個人情報取得手段と、
前記個人情報を複数種類に分類して、各分類ごとに前記第１の設定情報のサンプルデータを記憶するサンプルデータ記憶手段とをさらに備え、
前記第２設定情報取得手段は、前記第２の設定情報として、前記個人情報取得手段により取得した前記個人情報に対応するサンプルデータを前記サンプルデータ記憶手段から取得することを特徴とする撮像装置。
【請求項３】
請求項１または２に記載の撮像装置において、
前記第２設定情報取得手段は、撮影時の設定に関する情報を付加情報として有する撮像画像から前記付加情報を前記第２の設定情報として取得することを特徴とする撮像装置。
【請求項４】
請求項１から３のいずれか一項に記載の撮像装置において、
前記第２設定情報取得手段は、外部情報端末を用いて設定された前記第２の設定情報を取得することを特徴とする撮像装置。
【請求項５】
請求項４に記載の撮像装置において、
前記第２設定情報取得手段は、前記外部情報端末の表示装置に表示された、前記第２の設定情報に基づくバーコードを、前記撮影手段を用いて撮影して、前記バーコードから前記第２の設定情報を取得することを特徴とする撮像装置。
【請求項６】
請求項１から５のいずれか一項に記載の撮像装置において、
前記撮影手段による撮影を行った後、当該撮影の状態と、当該撮影による撮像画像とを解析して第３の設定情報を生成する第３設定情報生成手段と、
前記第１設定情報記憶手段に記憶された前記第１の設定情報と、前記第３生成手段により生成された前記第３の設定情報との差分に基づいて、前記第１の設定情報を更新する第１設定情報更新手段と、
をさらに備えることを特徴とする撮像装置。
【請求項７】
請求項２から６のいずれか一項に記載の撮像装置と、
サーバ装置とを備えるシステムであって、
前記撮像装置は、
前記第１設定情報記憶手段に記憶されている、前記第１の設定情報を前記サーバ装置へ送信する第１設定情報送信手段と、
前記サーバ装置から最新のサンプルデータを受信するサンプルデータ受信手段と、
をさらに備え、
前記サーバ装置は、
前記第１設定情報送信手段により送信された前記第１の設定情報を受信する前記第１設定情報受信手段と、
前記最新のサンプルデータを記憶するサーバ側サンプルデータ記憶手段と、
前記第１設定情報受信手段により前記第１の設定情報を受信したとき、当該第１の設定情報に基づいて前記サーバ側サンプルデータ記憶手段に記憶された前記最新のサンプルデータを更新するサンプルデータ更新手段と、
前記サンプルデータ更新手段により更新された前記最新のサンプルデータを送信するサンプルデータ送信手段と、
を備え、
前記撮像装置の前記サンプルデータ記憶手段は、前記サンプルデータ受信手段により受信した前記最新のサンプルデータを、前記サンプルデータとして記憶することを特徴とするシステム。
【発明の詳細な説明】
【技術分野】
【０００１】
本発明は撮像装置およびシステムに関する。
【背景技術】
【０００２】
撮影を行うたびに撮影に関する情報を収集して、ユーザごとにデータベースを生成する撮像装置が知られている（たとえば、特許文献１）。特許文献１では、ユーザごとに手ブレに関するデータベースが生成されている。
【先行技術文献】
【特許文献】
【０００３】
【特許文献１】特開２００９−４４６７１号公報
【発明の概要】
【発明が解決しようとする課題】
【０００４】
撮影に関する設定パラメータを自動的に設定する撮像装置では、自動設定する設定パラメータをユーザが予め手動で設定することが多い。しかし、撮像装置に関する知識が不十分なユーザは、適切に設定パラメータを設定することができず、撮像装置が適切に自動設定されない虞があった。
【課題を解決するための手段】
【０００５】
本発明による撮像装置は、個人情報に基づいてユーザの個人認証を行う個人認証手段と、個人認証手段により個人認証されたユーザについて、撮影に関する第１の設定情報を記憶する第１設定情報記憶手段と、第１設定情報記憶手段に第１の設定情報が記憶されていないとき、第１の設定情報の生成に用いられる第２の設定情報を取得する第２設定情報取得手段と、第１設定情報記憶手段に第１の設定情報が記憶されていないとき、第２設定情報取得手段により取得された第２の設定情報に基づいて、第１の設定情報を生成する第１設定情報生成手段と、第１の設定情報に基づいて撮像装置に対して撮影に関する設定を自動的に行う自動設定手段と、自動設定手段による設定後に撮影動作を行う撮影手段と、を備えることを特徴とする。
【発明の効果】
【０００６】
本発明によれば、撮像装置がユーザに対して好適に自動設定される。
【図面の簡単な説明】
【０００７】
【図１】本発明の一実施の形態による撮像装置のブロック構成図である。
【図２】ユーザデータベースの一例である。
【図３】サンプルデータベースの一例である。
【図４】本発明の一実施の形態による撮像装置の動作に関するフローチャートである。
【図５】ユーザデータの生成処理に関するフローチャートである。
【図６】パラメータ生成について第１の方法に関するフローチャートである。
【図７】撮像装置のパラメータの設定画面の一例である。
【図８】パラメータ生成について第２の方法に関するフローチャートである。
【図９】パラメータ生成について第３の方法に関するフローチャートである。
【図１０】パラメータ生成について第４の方法について説明するための図である。
【図１１】差分履歴の生成処理に関するフローチャートである。
【図１２】ユーザデータの更新処理に関するフローチャートである。
【図１３】サンプルデータベースの更新に関するフローチャートである。
【図１４】本発明の一実施の形態によるシステムに関するブロック構成図である。
【発明を実施するための形態】
【０００８】
図１は、本発明の一実施の形態による撮像装置のブロック構成図である。図１に例示された撮像装置１は、撮影光学系１０と撮像素子１１と画像処理部１２とＣＰＵ１３と記憶部１４と閃光部１５と表示部１６と記録媒体１７と操作部材１８とレンズ駆動部１９と通信部２０とを備える。
【０００９】
撮影光学系１０は、撮像素子１１の撮像面に被写体像を結像する。撮影光学系１０は、焦点調節用のフォーカスレンズ１０ｆを少なくとも含む。フォーカスレンズ１０ｆは、レンズ駆動部１９により光軸方向に駆動される。撮像素子１１は、撮像面に結像した被写体像を撮像して、撮像信号を出力する。撮像素子１１のＩＳＯ感度は、ＣＰＵ１３により設定される。画像処理部１２は、撮像画像の圧縮処理、ホワイトバランス処理、輪郭強調処理、ピクチャーコントロール処理、ノイズ低減処理、手振れ補正処理などを実行する。
【００１０】
圧縮処理では、撮像画像を圧縮する際のファイル形式（ＲＡＷ＋ＪＰＥＧ，ＪＰＥＧ等）、ファイル容量（ＦＩＮＥ，ＮＯＲＭＡＬ，ＢＡＳＩＣ）などがＣＰＵ１３により設定される。
【００１１】
ホワイトバランス処理には、画像処理部１２がホワイトバランスゲインを自動的に調整するＡＵＴＯモードとホワイトバランスゲインをユーザが手動で調整する選択モードが存在する。
【００１２】
輪郭強調処理は、撮像画像にメリハリを付けるために撮像画像の輪郭を強調する。輪郭強調処理による輪郭強調の強弱は、設定することができる。また、その輪郭強調の強弱を画像処理部１２に自動的に調節させるＡＵＴＯモードを選択することもできる。
【００１３】
ピクチャーコントロール処理は、撮像画像のコントラスト、明るさ、色の濃さ、色合いなどを調節する。ピクチャーコントローラは、例えばスタンダード、ニュートラル、ビビッドなどの中から一のモードを設定することができる。ノイズ低減処理および手振れ補正処理は、それらの処理を使用するか否かを設定することができる。
【００１４】
ＣＰＵ１３は、記憶部１４に記憶された制御プログラムを実行して、撮像装置１の各部を制御する。例えば、ＣＰＵ１３は、個人認証部１３０と焦点検出部１３１とシーンモード設定部１３２と手振れ検出部１３３と閃光制御部１３４と自動設定部１３５として機能する。
【００１５】
個人認証部１３０は、撮影者の個人認証処理を実行する。個認証処理は、撮影者の顔、虹彩、指紋等の画像や音声等を用いた公知の個人認証を実行する。個人認証に用いる個人情報は、記憶部１４に記憶される。個人認証部１３０は、撮像装置１が撮像装置１が個人認証アシストモードという動作モードにあるとき使用される。
【００１６】
焦点検出部１３１は、コントラストＡＦ方式など、公知の焦点検出処理を実行する。焦点検出部１３１は、撮像画面に予め設定された１以上のＡＦエリアに対して撮影光学系１０を合焦させる。焦点検出部１３１による焦点検出処理には、シングルＡＦモード（ＡＦ−Ｓ）やコンティニュアスＡＦモード（ＡＦ−Ｃ）などの動作モードが設けられており、いずれかのＡＦ動作モードで実行することができる。
【００１７】
シーンモード設定部１３２は、撮影シーンが設定されるとその設定に合わせて撮像装置１を設定する。シーンモード設定部１３２の撮影シーンには、例えばポートレート、風景、料理、スポーツ、ペットなどが存在する。また、シーンモード設定部１３２は、撮影シーンを自動的に選択するＡＵＴＯモードが存在する。
【００１８】
手振れ検出部１３３は、撮像素子１１により撮像された複数の撮像画像や不図示の角速度センサの出力信号を用いて、公知の手振れ検出処理を実行する。画像処理部１２は、手振れ検出部１３３の検出結果に基づいて手振れ補正を行う。
【００１９】
閃光制御部１３４は、閃光部１５のオート発光制御を行う。オート発光制御を使用するか否かはユーザが設定することができる。
【００２０】
自動設定部１３５は、詳細を後述するユーザデータを用いて、撮像装置１の各部を自動的に設定する。
【００２１】
記憶部１４は、フラッシュメモリなどの不揮発性の記憶媒体である。記憶部１４には、撮像装置１の制御プログラム、個人認証用データベース、ユーザデータベース２００、差分履歴データベース２５０、サンプルデータベース３００が記憶されている。
【００２２】
（個人認証用データベース）
個人認証用データベースには、個人認証部１３０が撮影者の認証に用いる個人情報が記憶されている。個人認証部１３０が顔認識により個人認証を行う場合、個人情報には、ユーザ名、年齢、性別、顔画像などが含まれる。
【００２３】
（ユーザデータベース）
ユーザデータベース２００には、自動設定部１３５が撮像装置１の各部を自動的に設定するためのデータが記憶されている。そのデータは、ユーザデータと称され、ユーザごとに記憶されている。
【００２４】
図２は、ユーザデータベース２００の一例である。図２に例示したユーザデータベース２００では、ユーザデータは、個人情報部２０１とパラメータ部２０２とを含む。個人情報部２０１には、ユーザデータベース２００の中から、個人認証されたユーザに関するユーザデータを取得するための個人情報が記憶される。図２の例では、個人情報部２０１には、撮影者のユーザ名と年齢と性別が記憶されている。
【００２５】
パラメータ部２０２には、撮像装置１の各部を設定するための種々の情報が記憶される。以降、パラメータ部２０２に記憶される各項目のことを設定パラメータと称する。図２のパラメータ部２０２には、設定パラメータとして、ＩＳＯ感度、画質、ホワイトバランス、輪郭強調、ＡＦモード、フラッシュ、ＡＦエリア、シーンモード、ピクチャーコントロール、ノイズ低減、手振れ補正という項目が含まれている。なお、画質には、圧縮処理が撮像画像を圧縮する際のファイル形式（ＲＡＷ＋ＪＰＥＧ，ＪＰＥＧ等）とファイル容量（ＦＩＮＥ，ＮＯＲＭＡＬ，ＢＡＳＩＣ）とが含まれる。
【００２６】
個人情報部２０１に記憶された各ユーザの個人情報は、パラメータ部２０２に記憶された当該ユーザの設定パラメータに関連づけられて、ユーザデータとしてユーザデータベース２００に記憶される。
【００２７】
（サンプルデータベース）
図３は、サンプルデータベース３００の一例である。サンプルデータベース３００には、図２のユーザデータのパラメータ部２０２に記憶される設定パラメータのサンプルであるサンプルデータが記憶されている。図３に例示するサンプルデータベース３００では、ユーザを年齢と性別で分類して、各分類ごとにサンプルデータが記憶されている。図３のサンプルデータは、分類情報部３０１とサンプルパラメータ部３０２とを有し、分類情報部３０１にユーザの分類に関する情報が記憶されている。図３の例では、分類情報部３０１には、分類名と年齢範囲と性別とが含まれる。サンプルパラメータ部３０２には、図２のパラメータ部２０２と同様に、ＩＳＯ感度、画質、ホワイトバランス、輪郭強調、ＡＦモード、フラッシュ、ＡＦエリア、シーンモード、ピクチャーコントロール、ノイズ低減、手振れ補正という項目が含まれている。
【００２８】
（差分履歴データベース）
差分履歴データベース２５０は、各ユーザデータの設定パラメータを最適化するために用いられる。撮像装置１が個人認証アシストモードのとき、撮像装置１は、個人認証されたユーザに対応したユーザデータに基づいて自動設定される。自動設定後の撮像装置１を用いてユーザが撮影を行ったとき、ＣＰＵ１３は、撮影時の撮像装置１の状態や撮影画像を解析した結果から適当でない虞がある設定パラメータを判断して、それらを差分履歴データベースに記憶する。ＣＰＵ１３は、同一ユーザについて所定回数以上、差分履歴データベースに記憶された項目について、ユーザデータの設定パラメータを更新する。
【００２９】
図４は、撮像装置１の電源がオンされたときの動作に関するフローチャートである。
ステップＳ４００では、ＣＰＵ１３は、撮像装置１の初期動作を行う。ステップＳ４０１では、ＣＰＵ１３は、撮像装置１が個人認証アシストモードにあるか否かを判定する。ＣＰＵ１３は、ステップＳ４０１が肯定判定されると処理をステップＳ４０２に進め、ステップＳ４０１が否定判定されると他の動作モードの動作を実行する。撮像装置１の個人認証アシストモード以外の他の動作モードについては、その説明を省略する。
【００３０】
ステップＳ４０２では、ＣＰＵ１３は、個人認証処理１３０を実行して、撮影者の個人認証を行う。ステップＳ４０３では、ＣＰＵ１３は、ステップＳ４０２の個人認証が成功したか否かを判定する。ＣＰＵ１３は、ステップＳ４０３が肯定判定された場合はステップＳ４０４に進み、ステップＳ４０３が否定判定された場合はステップＳ４０５に進む。
【００３１】
ステップＳ４０４では、ＣＰＵ１３は、個人認証に成功したユーザに関するユーザデータをユーザデータベース２００から読み込む。ステップＳ４０５では、ＣＰＵ１３は、後述する処理により、個人認証に失敗したユーザについて、個人認証用データとユーザデータとを新規に生成する。ステップＳ４０５において個人認証用データが生成されることにより、そのユーザに対する次回の個人認証は成功する。
【００３２】
ステップＳ４０６では、ＣＰＵ１３は、ステップＳ４０４で読み込まれたユーザデータの設定パラメータまたはステップＳ４０５で生成されたユーザデータの設定パラメータを用いて、撮像装置１を自動設定する。このとき、設定パラメータに含まれる全項目について自動設定される。
【００３３】
ステップＳ４０７では、ＣＰＵ１３は、ステップＳ４０６で設定された設定パラメータに基づいた撮像装置１の各種動作を行う。たとえば、撮影動作を実行する。
ステップＳ４０８では、ＣＰＵ１３は、撮像装置１の電源をオフするか否かを判定する。ＣＰＵ１３は、ステップＳ４０８が肯定判定された場合はステップＳ４０９に進み、ステップＳ４０８が否定判定された場合はステップＳ４０７に進む。
ステップＳ４０９では、ＣＰＵ１３は、後述する処理により、ステップＳ４０４で読み込まれたユーザデータまたはステップＳ４０５で作成されたユーザデータを更新する。
【００３４】
図５は、図４のステップＳ４０５で実行される処理に関するフローチャートである。なお、以下の説明では個人認証部１３０は、顔認識により個人認証することとする。
【００３５】
ステップＳ５０１では、ＣＰＵ１３は、ユーザの個人情報を取得する。例えば、ユーザの顔画像を撮像させると共に、操作部１８を用いてユーザにユーザ名、年齢、性別などの個人情報を入力させる。
【００３６】
ステップＳ５０２では、ＣＰＵ１３は、ステップＳ５０１で撮像したユーザの顔画像と、ステップＳ５０１で入力させたユーザ名、年齢、性別などのユーザの個人情報とを関連付けて個人認証用データとして、記憶部１４の個人認証用データベースに記憶する。
【００３７】
ステップＳ５０３では、ＣＰＵ１３は、ステップＳ５０１で入力させた個人情報に基づいて、ユーザデータの個人情報部２０１を生成する。すなわち、ＣＰＵ１３は、ステップＳ５０１で入力させたユーザ名を個人情報部２０１のユーザ名とし、ステップＳ５０１で入力させた年齢を個人情報部２０１の年齢とし、個人情報部２０１の性別を個人情報部２０１の性別としたユーザデータを生成する。
【００３８】
ステップＳ５０４では、ＣＰＵ１３は、ユーザデータのパラメータ部２０２（設定パラメータ）の生成方法（後述）を選択する。ＣＰＵ１３は、例えばパラメータ部２０２の生成方法を設定するための設定メニュー画面を表示部１６に表示して、操作部材１８を用いて撮影者に生成方法を設定させる。設定された設定方法は、記憶部１４などに記憶される。
【００３９】
ステップＳ５０５では、ＣＰＵ１３は、ステップＳ５０４で選択された生成方法により、ユーザデータのパラメータ部２０２を生成する。ステップＳ５０３で個人情報部２０１が生成され、ステップＳ５０５でパラメータ部２０２が生成されたため、ユーザデータが生成される。生成されたユーザデータは、ステップＳ５０６において、記憶部１４のユーザデータベース２００に記憶される。
【００４０】
（第１の生成方法）
図６は、図５のステップＳ５０５においてユーザデータのパラメータ部２０２を生成するための第１の生成方法を示すフローチャートである。ステップＳ６０１では、ＣＰＵ１３は、表示部１６にパラメータ部２０２の各項目を設定するための設定画面を表示する。
【００４１】
図７は、ステップＳ６０１で表示される設定画面の一例である。図７には、ユーザデータの設定パラメータのうち、ＩＳＯ感度と画質とホワイトバランスと輪郭強調についての設定をそれぞれ行うための設定欄６５０〜６５３が表示されている。設定欄６５０〜６５３の各々には、プルダウンメニューが設けられており、各項目の設定を変更することができる。表示部１５に表示される設定欄は、設定欄６５３の下に表示されている操作ボタン６５４および６５５を操作すると変更される。また、操作ボタン６５４と操作ボタン６５５との間には、設定を終了するための操作ボタン６５６が表示されている。
【００４２】
ステップＳ６０２では、ＣＰＵ１３は、ステップＳ６０１で表示部１６に表示された設定画面（たとえば、図７）に対する各項目の設定パラメータの入力を受け付ける。
ステップＳ６０３では、ＣＰＵ１３は、設定が終了したか否かを判定する。たとえば、ＣＰＵ１３は、図７の操作ボタン６５６が操作されたか否かを判定する。ＣＰＵ１３は、ステップＳ６０３が肯定判定されたとき処理をステップＳ６０４に進め、ステップＳ６０３が否定判定されたとき処理をステップＳ６０２に進める。
ステップＳ６０４では、ＣＰＵ１３は、ステップＳ６０２で入力されたパラメータに基づいて、ユーザデータのパラメータ部２０２を生成する。
【００４３】
しかし、図６に示す第１の生成方法は、ユーザが各パラメータについて理解していないと設定画面へのパラメータの入力が適切にできず、適切なパラメータ部を生成することができない虞がある。
【００４４】
（第２の生成方法）
図８は、図５のステップＳ５０５においてユーザデータのパラメータ部２０２を生成するための第２の生成方法を示すフローチャートである。ステップＳ７０１では、ＣＰＵ１３は、図５のステップＳ５０１で取得したユーザの個人情報を取得する。ステップＳ７０２では、ＣＰＵ１３は、ステップＳ７０１で取得した個人情報に基づいて、記憶部１４に記憶されているサンプルデータベース３００の分類情報部３０１を検索して、その個人情報に対応する分類のサンプルデータを取得する。例えば、撮影者が９歳の男性である場合、年齢範囲と性別から分類名ｕ１０ｍ（図３参照）のサンプルデータが取得される。
【００４５】
ステップＳ７０３では、ＣＰＵ１３は、ステップＳ７０２で抽出されたサンプルデータをユーザデータのパラメータ部２０２として用いるか否かを判定する。この判定は、例えば、ステップＳ７０２で抽出されたサンプルデータの内容を表示部１６に表示して、ユーザにその設定にするか否かを判定させることにより実施できる。ＣＰＵ１３は、ステップＳ７０３が肯定判定された場合、処理をステップＳ７０４に進む。ＣＰＵ１３は、ステップＳ７０３が否定判定された場合、処理をステップＳ７０２に進め、ユーザの個人情報に類似するサンプルデータを取得する。
【００４６】
ステップＳ７０４では、ＣＰＵ１３は、ステップＳ７０２で取得されたサンプルデータに基づいて、ユーザデータのパラメータ部２０２を生成する。このようにすることで、ユーザが各パラメータについて精通していない場合であっても、適切にパラメータ部２０２が生成される。
【００４７】
（第３の生成方法）
図９は、図５のステップＳ５０５においてユーザデータのパラメータ部２０２を生成するための第３の生成方法を示すフローチャートである。図９は、記録媒体１７などに記録された画像データを用いる。ユーザは、記録媒体１７などにＥＸＩＦ情報を有する画像データを記録しておく。この画像データは、ユーザが外部からダウンロード等した画像データでもよいし、ユーザが予め撮影した画像データでもよい。ＥＸＩＦ情報には、ユーザデータのパラメータ部２０２を生成するために十分な情報が含まれる。
【００４８】
図９のステップＳ８０１では、ＣＰＵ１３は、記録媒体１７から画像データを読み出す。読み出す画像データは、例えば表示部１６にサムネイル画像を表示して、ユーザに選択させればよい。ステップＳ８０２では、ＣＰＵ１３は、ステップＳ８０１から読み出した画像データからＥＸＩＦ情報を取得する。ステップＳ８０３では、ＣＰＵ１３は、ステップＳ８０２で取得したＥＸＩＦ情報に基づいてユーザデータのパラメータ部２０２を生成する。第３の方法においても、ユーザが各パラメータについて精通していない場合であっても、適切にパラメータ部２０２を生成することができる。
【００４９】
（第４の生成方法）
図１０（ａ）および（ｂ）を用いて、図５のステップＳ５０５においてユーザデータのパラメータ部２０２を生成するための第４の生成方法を説明する。図１０（ａ）は、撮像装置１と外部情報端末２とを含むシステムのブロック図である。外部情報端末２は、スマートフォンやパソコンなどである。第４の生成方法では、撮像装置１は、外部情報端末２からユーザデータの設定パラメータに関する情報を取得する。撮像装置１は、例えば、通信部２０を用いた有線通信、近距離無線通信、インターネットなどの電気通信回線を介した通信、着脱可能な記録媒体１７などを用いて、ユーザデータのパラメータ部２０２に関する情報を、外部情報端末２から取得する。外部情報端末２では、例えば所定のアプリケーションが実行されて、図７のような設定画面が表示モニタ２１に表示され、ユーザデータの設定パラメータに関する情報が入力される。
【００５０】
また、外部情報端末２に入力されたユーザデータの設定パラメータに関する情報を、図１０（ｂ）に示すようなバーコード２２に変換して、表示モニタ２１に表示することにしてもよい。撮像装置１は、このバーコード２２を撮像して読み込み、ユーザデータの設定パラメータに関する情報を取得する。撮像装置１のＣＰＵ１３は、外部情報端末２から所定の方法を用いて取得したユーザデータの設定パラメータに関する情報に基づいて、ユーザデータのパラメータ部２０２を生成する。
【００５１】
（設定パラメータの更新）
ユーザデータのパラメータ部２０２に記憶された設定パラメータは、自動設定された撮像装置１を用いて撮影するたびに更新される。図１１は、撮像装置１が撮影モードにあるときにＣＰＵ１３が実行する処理に関するフローチャートの一例である。この処理は、図４のステップＳ４０７において、ＣＰＵ１３により実行される。
【００５２】
図１１のステップＳ９０１では、ＣＰＵ１３は、撮像装置１を監視する。例えば、ユーザによる操作部材１８の操作（例えば、レリーズ操作）、撮像画像または各種センサ類による手振れ量の検出などを実行する。
ステップＳ９０２では、ＣＰＵ１３は、撮影動作を行ったか否かを判定する。ＣＰＵ１３は、ステップＳ９０２が肯定判定された場合は処理をステップＳ９０３に進め、ステップＳ９０２が否定判定された場合はステップＳ９０１に進める。
【００５３】
ステップＳ９０３では、ＣＰＵ１３は、撮影時の撮像装置１の状態を取得する。撮像装置１の状態とは、例えば、検出された手振れ量が所定値より大きいなどである。
ステップＳ９０４では、ＣＰＵ１３は、ステップＳ９０３で取得した撮像装置１の状態に基づいて望ましい設定パラメータを取得する。例えば、手振れ量が所定値より大きい場合は、手振れ補正の項目が「ＯＮ」であることが好ましいと判断する。
【００５４】
ステップＳ９０５では、ＣＰＵ１３は、撮像画像を取得する。
ステップＳ９０６では、ＣＰＵ１３は、ステップＳ９０５で取得した撮像画像を画像解析して、望ましい設定パラメータを判断する。例えば、撮像画像のブレ具合から手振れ補正の要否を判断したり、撮像画像の明るさからフラッシュの要否を判断したりする。
【００５５】
ステップＳ９０７では、ＣＰＵ１３は、図４のステップＳ４０６にて設定された設定パラメータと、ステップＳ９０４およびステップＳ９０６で判断された望ましい設定パラメータとを比較して、その差分をユーザの個人情報に関連付けて、差分履歴データベース２５０へ記憶する。
【００５６】
ステップＳ９０８では、ＣＰＵ１３は、撮影モードを終了するか否かを判定する。ユーザが操作部材１８を用いて所定の撮影終了操作を行ったとき、ステップ９０８が肯定判定されて図１１の処理が終了する。また、ＣＰＵ１３は、ステップ９０８が否定判定された場合は、ステップＳ９０１に処理を進める。
【００５７】
図１２は、図４のステップＳ４０９の処理に関するフローチャートである。図１２の処理は、ＣＰＵ１３により実行される。ステップＳ１００１では、ＣＰＵ１３は、ユーザデータの個人情報に基づいて差分履歴データベース２５０を検索する。ステップＳ１００２では、ＣＰＵ１３は、ステップＳ１００１の検索結果の中に所定回数以上含まれる設定パラメータを抽出する。ステップＳ１００３では、ＣＰＵ１３は、ステップＳ１００２で抽出された設定パラメータを用いて、ユーザデータのパラメータ部２０２を更新する。
【００５８】
（サンプルデータベースの更新）
図１３は、記憶部１４に記憶されているサンプルデータベース３００の更新処理に関するフローチャートである。図１３の処理は、図１４に示すように、撮像装置１が通信部２０（図１４では不図示）を用いてサーバ４と接続されているときに実行される。サーバ４には、最新のサンプルデータベース４１が記憶されている。
【００５９】
ステップＳ１１０１では、ＣＰＵ１３は、通信部２０を介して、記憶部１４に記憶されているユーザデータベース２００をサーバ４へ送信する。
ステップＳ１１０２では、サーバ４は、ステップＳ１１０１で送信されたユーザデータベース２００を受信する。
【００６０】
ステップＳ１１０３では、サーバ４は、ステップＳ１１０２で受信したユーザデータベース２００を用いてサンプルデータベース４１を更新する。たとえば、サーバ４は、過去に複数の撮像装置から受信してサーバ４に蓄積されているユーザデータと今回ステップＳ１１０２で受信したユーザデータベース２００に含まれるユーザデータとを、サンプルデータベース４１の分類名ごとに分類する。そして、サーバ４は、各分類名の設定パラメータの項目ごとに最も頻度が高い要素を抽出して、当該要素に当該項目を変更する。
【００６１】
ステップＳ１１０４では、サーバ４は、ステップＳ１１０３で更新したサンプルデータベース４１を撮像装置１へ送信する。
ステップＳ１１０５では、ＣＰＵ１３は、ステップＳ１１０４で送信されたサンプルデータベース４１を受信する。
【００６２】
ステップＳ１１０６では、ＣＰＵ１３は、ステップＳ１１０５で受信したサンプルデータベース４１を用いて、記憶部１４に記憶されているサンプルデータベース３００を更新する。このようにすることで、撮像装置１は、より質の高いサンプルパラメータデータを利用することができる。
【００６３】
以上で説明した実施の形態によれば、以下の作用効果が得られる。
本発明による撮像装置１は、ＣＰＵ１３がユーザの個人認証を行い（図４のステップＳ４０２）、個人認証されたユーザについて撮影に関する設定パラメータを含むユーザデータが記憶部１４に記憶されている。
ＣＰＵ１３は、記憶部１４のユーザデータベース２００にユーザデータが記憶されていないとき、ユーザデータのパラメータ部２０２の設定パラメータを生成するためにサンプルデータ、ＥＸＩＦ情報、バーコードなどを取得する（図７のステップＳ７０２、図９のステップＳ８０２、図１０（ｂ））。
ＣＰＵ１３は、記憶部１４のユーザデータベース２００にユーザデータが記憶されていないとき、サンプルデータ、ＥＸＩＦ情報、バーコードなどの情報からユーザデータのパラメータ部２０２の設定パラメータを生成する（図７、図８、図９）。
ＣＰＵ１３は、このユーザデータのパラメータ部２０２の設定パラメータに基づいて、撮像装置１の撮影に関する設定を自動的に行う（図４のステップＳ４０６）。そして、ＣＰＵ１３は、自動設定後に撮影動作を行う（図４のステップＳ４０７、図１１）。
撮像装置１は、このような構成を有することから、撮像装置に関する知識の乏しいユーザに対して好適に自動設定される。また、複数のユーザにて共有して使用する場合に、個人認証されたユーザに対応する設定に自動的に切り替わるため、ユーザの切り替わりのたびにユーザが手動で設定をやり直す煩わしさを解消することができる。
【００６４】
以上で説明した実施の形態は、以下のように変形して実施できる。
（変形例１）図１３および図１４では、撮像装置１とサーバ４との間の通信により、ユーザデータベースとサンプルデータベースの送受信を行った。しかし、サーバ４との通信は、撮像装置１以外の情報端末で行ってもよい。例えば、図１３のステップＳ１１０１を次のような処理に変更することができる。まず、撮像装置１がユーザデータベース２００を記録媒体１７に記憶させる。そして、ユーザがその記録媒体１７を情報端末に接続して、情報端末が記録媒体１７からユーザデータベース２００を読み出す。そして、情報端末がそのユーザデータベース２００をサーバ４へ送信する。同様に、図１３のステップＳ１１０５は、次のような処理に変更することができる。まず、サーバ４が送信した最新のサンプルデータベース４１を情報端末が受信する。次に、情報端末が記録媒体１７に受信した最新のサンプルデータベース４１を記憶させる。そして、ユーザがその記録媒体１７を撮像装置１に接続して、撮像装置１が記録媒体１７からユーザデータベース２００を読み出して記憶部１４へ記憶する。このようにすることで、通信部２０を有さない撮像装置に対してもサンプルデータベース３００の更新処理を行うことができる。
【００６５】
（変形例２）以上で説明した実施の形態では、撮像装置１は、ユーザデータのパラメータ部２０２を生成する方法として第１〜第４の生成方法を有し、それらのいずれかを用いてユーザデータのパラメータ部２０２を生成することとした。しかし、撮像装置１は、第２〜第４のいずれか少なくとも一つを有しているだけでもよい。
【００６６】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【００６７】
１：撮像装置，１０：撮影光学系，１１：撮像素子，１２：画像処理部，１３：ＣＰＵ，１４：記憶部，１５：閃光部，１６：表示部，１７：記録媒体，１８：操作部材，２０：通信部，２００：ユーザデータベース，３００：サンプルデータベース
【図１】
2013247512.tif 000003
【図２】
2013247512.tif 000004
【図３】
2013247512.tif 000005
【図４】
2013247512.tif 000006
【図５】
2013247512.tif 000007
【図６】
2013247512.tif 000008
【図７】
2013247512.tif 000009
【図８】
2013247512.tif 000010
【図９】
2013247512.tif 000011
【図１０】
2013247512.tif 000012
【図１１】
2013247512.tif 000013
【図１２】
2013247512.tif 000014
【図１３】
2013247512.tif 000015
【図１４】
2013247512.tif 000016